(57)【要約】【課題】  実装密度が高く、専用の工具を必要とせずに確実にＭＴ型等の光コネクタを保持することができる光コネクタ保持器を提供する。【解決手段】  この保持器は、接続された１対のＭＴ型光コネクタ２が収まる内部空間を有する箱型のホルダ本体１０Ａと、このホルダ本体１０Ａを覆うスライドカバー１０Ｂとで構成される。ホルダ本体１０Ａの前後面には、ＭＴ型光コネクタ２に接続された光ケーブル１を引き出すための切欠部１１が設けられ、前後面の内壁には収納されたＭＴ型光コネクタ２を圧接して固定接続させるバネ１２が設けられている。ホルダ本体１０Ａの底面には、内部に収納されたＭＴ型光コネクタ２を、指先等で押して取り出すための押出穴１３が形成されている。ホルダ本体１０ＡはＭＴ型光コネクタ２より一回り大きいだけなので、所要スペースが殆ど増加しない。【選択図】      図１
2005227330.tif 000002
【特許請求の範囲】
【請求項１】
ガイドピンによって位置合わせして接続された１対の光ケーブル用のコネクタを収容する内部空間、及び該内部空間に収容された１対のコネクタ同士を圧接させるためのバネを有し、底部に該コネクタを取り出すために押し出す押出穴が設けられた箱型のホルダ本体と、
前記ホルダ本体に収容されたコネクタの脱落を防止するために該ホルダ本体を覆うスライドカバーとを、
備えたことを特徴とする光コネクタ保持器。
【請求項２】
対をなす第１及び第２の光ケーブル用コネクタの内の第１のコネクタ全体と第２のコネクタの先端部を収容する内部空間、及び該第２のコネクタの先端部を挿入するための挿入口が設けられ、該挿入口を前面にしてパネルに固定するための固定部を有する箱型のホルダ本体と、
前記ホルダ本体に収容されたコネクタの脱落を防止するために該ホルダ本体を覆うスライドカバーと、
前記パネルに設けられた差込穴に差し込んで固定する引掛部を有し、前記ホルダ本体の挿入口に挿入された前記第２のコネクタの背面を押さえる押さえ金具とを、
備えたことを特徴とする光コネクタ保持器。
【請求項３】
前記ホルダ本体は、複数の光ケーブル用コネクタを並列して収容する内部空間を有することを特徴とする請求項２記載の光コネクタ保持器。
【発明の詳細な説明】
【技術分野】
【０００１】
本発明は、多心光ファイバ・ケーブル用のＭＴ（Mechanically Transferable)型等の光コネクタを保持するための光コネクタ保持器に関するものである。
【背景技術】
【０００２】
【特許文献１】特開平１１−２３９０８号公報
【０００３】
図２は、従来のＭＴ型光コネクタの接続方法の一例を示す斜視図である。
ＭＴ型光コネクタ２は、多心テープ心線で構成される光ケーブル１を一括接続するためのコネクタで、プラスチックで精密形成されたプラグの先端部２ａにファイバ心線の端面１ｃが露出された構造となっている。先端部２ａのファイバ心線の外側にガイド穴２ｈが設けられており、このガイド穴２ｈにガイドピン３を挿入して位置合わせすることにより、２つのＭＴ型光コネクタ２のファイバ心線同士が接続されるようになっている。
【０００４】
このようなＭＴ型光コネクタ２では、コネクタ同士をつなぎ止めておく力はガイド穴２ｈとガイドピン３の間に働く摩擦力しかないので、ＭＴクリップと呼ばれる専用のスプリングクリップ４を用いて固定する方法が採用されている。即ち、スプリングクリップ４は１枚の弾力性のある金属板を板金加工したもので、接続された２つのＭＴ型光コネクタ２のプラグ背面２ｂに、このスプリングクリップ４の切り起こして形成した一部４ａを当接させ、そのバネの力でコネクタ同士の接続を維持するようにしている。
【０００５】
一方、特許文献１には、ＭＴ型光コネクタを装置に接続するためのＭＴコネクタ用アダプタが記載されている。このアダプタは、ＭＴ型光コネクタを挿入する透孔が設けられたアダプタ本体と、このアダプタ本体に挿入されたＭＴ型光コネクタの背面に当接させる着脱用レバーの付いたスプリングクリップと、このスプリングクリップを回転自在にアダプタ本体に軸支するクリップ軸棒とで構成されている。
【０００６】
このＭＴコネクタ用アダプタでは、装置側の取付パネルにネジ止めされたアダプタ本体の透孔にＭＴ型光コネクタを挿入し、着脱用レバーを操作してスプリングクリップをクリップ軸棒を中心にして回転させてＭＴ型光コネクタの背面に当接させることによって、このＭＴ型光コネクタを装置に固定させることができる。
【発明の開示】
【発明が解決しようとする課題】
【０００７】
しかしながら、図２のスプリングクリップ４は、バネの力のみで２つのＭＴ型光コネクタ２を固定しているので、外力が加わると簡単に外れてしまうおそれがある。更に、ＭＴ型光コネクタ２を着脱する際には、専用のＭＴ着脱工具が必要なため、作業性が悪いという問題があった。
【０００８】
一方、特許文献１のＭＴコネクタ用アダプタは、着脱用レバーの付いたスプリングクリップを回転させる構造となっているため、この着脱用レバーを回転させるためのスペースが必要となり、実装密度を上げることができないという問題があった。
【０００９】
本発明は、実装密度が高く、専用の工具を必要とせずに確実にＭＴ型等の光コネクタを保持することができる光コネクタ保持器を提供することを目的としている。
【課題を解決するための手段】
【００１０】
本発明の内の第１の発明の光コネクタ保持器は、ガイドピンによって位置合わせして接続された１対の光ケーブル用のコネクタを収容する内部空間、及び該内部空間に収容された１対のコネクタ同士を圧接させるためのバネを有し、底部に該コネクタを取り出すために押し出す押出穴が設けられた箱型のホルダ本体と、前記ホルダ本体に収容されたコネクタの脱落を防止するために該ホルダ本体を覆うスライドカバーとを備えたことを特徴としている。
【００１１】
第２の発明の光コネクタ保持器は、対をなす第１及び第２の光ケーブル用コネクタの内の第１のコネクタ全体と第２のコネクタの先端部を収容する内部空間、及び該第２のコネクタの先端部を挿入するための挿入口が設けられ、該挿入口を前面にしてパネルに固定するための固定部を有する箱型のホルダ本体と、前記ホルダ本体に収容されたコネクタの脱落を防止するために該ホルダ本体を覆うスライドカバーと、前記パネルに設けられた差込穴に差し込んで固定する引掛部を有し、前記ホルダ本体の挿入口に挿入された前記第２のコネクタの背面を押さえる押さえ金具とを備えたことを特徴としている。
【発明の効果】
【００１２】
本発明の光コネクタ保持器は、コネクタを収容するための内部空間を有するホルダ本体と、このホルダ本体を覆うスライドカバーを備えている。このため、保持器による占有スペースの増加が殆どなく、かつ専用の工具を必要とせずに光コネクタを確実に保持することができるという効果がある。
【発明を実施するための最良の形態】
【００１３】
この光コネクタ保持器は、光ケーブルの中間コネクタに適用する場合には、接続された１対のＭＴ型光コネクタ等を収容する内部空間に収容されたＭＴ型光コネクタの背面を押してコネクタ同士を圧接させるためのバネが内部に設けられた箱型のホルダ本体と、これを覆うスライドカバーとで構成する。
【００１４】
また、機器等の取付パネルに光ケーブルを固定して接続する場合には、機器側のコネクタ全体とケーブル側のコネクタの先端部が挿入される内部空間を有する箱型のホルダ本体と、これを覆うスライドカバーと、ホルダ本体に挿入されたケーブル側のコネクタの背面を押さえる押さえ金具とで構成する。
【００１５】
この発明の前記並びにその他の目的と新規な特徴は、次の、好ましい実施例の説明を添付図面と照らし合わせて読むと、より完全に明らかになるであろう。但し、図面は、もっぱら解説のためのものであって、この発明の範囲を限定するものではない。
【００１６】
以下の実施例は、あくまでも、この発明の技術内容を明らかにするためのものである。この発明は、下記実施例にのみ限定して狭義に解釈されるものではなく、この発明の特許請求の範囲に述べる範囲内で、種々変更して実施することができる。
【実施例１】
【００１７】
図１は、本発明の実施例１のＭＴコネクタ保持器の構造を示す斜視図である。
このＭＴコネクタ保持器１０は、接続されたＭＴ型光コネクタ２が外れないように保持するもので、接続された状態の１対のＭＴ型光コネクタ２が、丁度収まるような内部空間を有する箱型のホルダ本体１０Ａと、このホルダ本体１０Ａを覆うためのスライドカバー１０Ｂとで構成されている。
【００１８】
ホルダ本体１０Ａの前後面には、ＭＴ型光コネクタ２に接続された光ケーブル１を引き出すための切欠部１１が設けられ、この切欠部１１の横の前後面の内壁には、内部に収納されたＭＴ型光コネクタ２を圧接して固定接続させるためのバネ１２が設けられている。また、ホルダ本体１０Ａの底面には、内部に収納されたＭＴ型光コネクタ２を、指先等で押して取り出すための押出穴１３が形成されている。更に、ホルダ本体１０Ａの側面には、スライドカバー１０Ｂを固定するための突起１４が設けられている。
【００１９】
一方、スライドカバー１０Ｂは、ホルダ本体１０Ｂの上面及び両側面を完全に覆うと共に、底面の一部にかかるスライド部を有する構造となっている。スライドカバー１０Ｂの側面には、ホルダ本体側の突起１４に対応する嵌込穴１５が設けられており、ホルダ本体１０Ａがこのスライドカバー１０Ｂで完全に覆われた状態で、突起１４が嵌込穴１５に収まるようになっている。なお、このスライドカバー１０Ｂは、底部全体を覆うようになっていないが、４辺形の筒状に形成しても良い。
【００２０】
このＭＴコネクタ保持器１０のホルダ本体１０Ａは、全体を板金加工で製造し、突起１４は切り起こしにより形成する。または、ホルダ本体１０のバネ１２以外をプラスチック成形で製造し、金属製のバネ１２を取り付けるようにしても良い。スライドカバー１０Ｂは板金加工、またはプラスチック成形で製造することができる。
【００２１】
このＭＴコネクタ保持器１０を用いた光ケーブル１の接続方法は次のとおりである。
まず、２本の光ケーブル１Ａ，１Ｂの先端に接続されたＭＴ型光コネクタ２Ａ，２Ｂを、ガイドピン３で位置合わせして接続する。なお、スライドカバー１０Ｂを４辺形の筒状に形成した場合には、２つのＭＴ型光コネクタ２Ａ，２Ｂを接続する前に、このスライドカバー１０Ｂの中に、光ケーブル１が接続されたＭＴ型光コネクタ２の一方を通しておく必要がある。
【００２２】
次に、接続したＭＴ型光コネクタ２Ａ，２Ｂをホルダ本体１０Ａの内部に挿入する。このとき、光ケーブル１Ａ，１Ｂはホルダ本体１０Ａの前後面に設けられた切欠部１１から引き出され、ＭＴ型光コネクタ２Ａの背面が、このホルダ本体１０Ａの内壁に設けられたバネ１２の力によって固定される。これにより、ＭＴ型光コネクタ２Ａ，２Ｂの前面において、光ファイバ同士が光学的に接続される。
【００２３】
更に、スライドカバー１０Ｂをホルダ本体１０Ａにスライドさせて嵌め込む。このとき、ホルダ本体１０Ａの側面の突起１４がスライドカバー１０Ｂの嵌込穴１５に入り、このスライドカバー１０Ｂが固定される。
【００２４】
ＭＴ型光コネクタ２を取り外す場合は、スライドカバー１０Ｂをホルダ本体１０Ａから引き抜いて外し、このホルダ本体１０Ａの底部の押出穴１３に指を差し込んでＭＴ型光コネクタ２Ａ，２Ｂを押し出す。
【００２５】
以上のように、この実施例１のＭＴコネクタ保持器１０は、接続された１対のＭＴ型光コネクタ２を収容するホルダ本体１０Ａとそれを覆うスライドカバー１０Ｂとで構成されているので、外力によってコネクタが外れるおそれがない。更に、スライドカバー１０Ｂはホルダ本体１０Ａにスライド固定される構造となっており、このホルダ本体１０Ａの底面には取出穴１３が設けられているので、専用の工具を用いずにＭＴ型光コネクタ２の着脱ができるという利点がある。また、ＭＴ型光コネクタ２とほぼ同じ寸法の箱型であるので、所要スペースが小さくて済むという利点がある。
【実施例２】
【００２６】
図３は、本発明の実施例２のＭＴコネクタ保持器の構造を示す斜視図である。
このＭＴコネクタ保持器２０は、装置や配線板にＭＴ型光コネクタ２を固定して保持するもので、１対のＭＴ型光コネクタ２の内の一方のＭＴ型光コネクタ２Ａが内側に完全に収まり、他方のＭＴ型光コネクタ２Ｂの先端部が差し込まれるような内部空間を有する箱型のホルダ本体２０Ａと、このホルダ本体２０Ａを覆うためのスライドカバー２０Ｂと、差し込まれたＭＴ型光コネクタ２Ｂの背面を押さえる押さえ金具２０Ｃとで構成されている。
【００２７】
箱型のホルダ本体２０Ａの後部は、一方のＭＴ型光コネクタ２Ａが上方から嵌め込まれるように、このＭＴ型光コネクタ２Ａの形状に合った内壁を有し、このＭＴ型光コネクタ２Ａに接続された光ケーブル１Ａを引き出すための切欠部２１が設けられている。
【００２８】
ホルダ本体２０Ａの前面には、他方のＭＴ型光コネクタ２Ｂの先端部を挿入するための挿入口２２が設けられると共に、このホルダ本体２０Ａを装置や配線板等の取付パネルへ固定するためのフランジ２３が設けられている。更に、ホルダ本体２０Ａの側面には、取付パネルへ固定するための突起２４と、スライドカバー２０Ｂを固定するための突起２５が設けられている。突起２４は、ホルダ本体２０Ａを取付パネルの嵌め込み用の穴に押し込んだときに、フランジ２３とこの突起２４によって取付パネルを両面から挟むことによって、固定させるものである。
【００２９】
スライドカバー２０Ｂは、図１におけるスライドカバー１０Ｂと同様のもので、ホルダ本体２０Ａの上面及び両側面を覆うと共に、底面の一部にかかるスライド部を有する構造となっている。スライドカバー２０Ｂの側面には、ホルダ本体２０Ａ側の突起２５に対応する嵌込穴２６が設けられており、このホルダ本体２０Ａがこのスライドカバー２０Ｂで完全に覆われた状態で、突起２５が嵌込穴２６に収まるようになっている。
【００３０】
押さえ金具２０Ｃは、取付パネルに固定されたホルダ本体２０Ａの挿入口２２に挿入されたＭＴ型光コネクタ２Ｂを押さえるための弾力性のある金具で、取付パネル側に設けられた差込穴に差し込んで引っ掛けるための引掛部２７ａ，２７ｂとレバー２８に加えて、ＭＴ型光コネクタ２Ｂに接続された光ケーブル１Ｂを引き出すための切欠部２９が設けられている。
【００３１】
ホルダ本体２０Ａは、プラスチック成形で製造することができる。また、スライドカバー２０Ｂと押さえ金具２０Ｃは、板金加工で製造することができるが、スライドカバー２０Ｂは、プラスチック成型で製造しても良い。
【００３２】
図４は、図３のＭＴコネクタ保持器の取付方法を示す図である。以下、この図４を参照しつつ、光ケーブル１の接続方法を説明する。
【００３３】
まず、装置や配線板等の取付パネル５の表面から嵌め込み用の嵌込穴６にホルダ本体２０Ａを嵌め込んで固定する。次に、ＭＴ型光コネクタ２Ａのガイド穴にガイドピンを挿入し、このＭＴ型光コネクタ２Ａをホルダ本体２０Ａの後部に嵌め込む。その後、ホルダ本体２０Ａに、スライドカバー２０Ｂを取り付ける。これにより、ＭＴ型光コネクタ２Ａは、ホルダ本体２０Ａの所定の位置に固定される。
【００３４】
更に、ホルダ本体２０Ａの前面の挿入口２２から、光ケーブル１Ｂが接続されたＭＴ型光コネクタ２Ｂを挿入する。これにより、ＭＴ型光コネクタ２Ｂは、ホルダ本体２０Ａの内壁に沿って挿入され、先に取り付けられているＭＴ型光コネクタ２Ａのガイドピンによって正確に位置決めされて、２つのＭＴ型光コネクタ２Ａ，２Ｂが接続される。
【００３５】
その後、取付パネル５の差込穴７ａ，７ｂに、押さえ金具２０Ｃの引掛部２７ａ，２７ｂを順次差し込む。この時、ＭＴ型光コネクタ２Ｂに接続された光ケーブル１Ａは、押さえ金具２０Ｃに設けられた切欠部２９から引き出される。これにより、押さえ金具２０Ｃのバネの力でＭＴ型光コネクタ２Ｂの背面が固定される。
【００３６】
ＭＴ型光コネクタ２Ｂを取り外す場合は、押さえ金具２０Ｃのレバー２８を倒しながら引き抜くことにより、この押さえ金具２０Ｃを取付パネル５から外す。
【００３７】
以上のように、この実施例２のＭＴコネクタ保持器２０は、一方のＭＴ型光コネクタ２Ａを収容すると共に、取付パネルに固定することができる構造のホルダ本体２０Ａとそれを覆うスライドカバー２０Ｂと、他方のＭＴ型光コネクタ２Ｂの背面を押さえて固定する押さえ金具２０Ｃで構成されている。これにより、専用の工具を必要とせずに確実にＭＴ型光コネクタ２を取付パネルに着脱することができるという利点がある。
【実施例３】
【００３８】
図５は、本発明の実施例３のＭＴコネクタ保持器の構造を示す斜視図である。
実施例２のＭＴコネクタ保持器２０は、１対のＭＴ型光コネクタを保持するものであるが、この実施例３のＭＴコネクタ保持器３０は複数対のＭＴ型光コネクタを保持するように構成したものである。ＭＴコネクタ保持器３０はＭＴコネクタ保持器２０と同様に、ホルダ本体３０Ａと、スライドカバー３０Ｂと、押さえ金具３０Ｃとで構成されている。
【００３９】
ホルダ本体３０Ａは、複数のＭＴ型光コネクタを縦に並べて収容できるような構造となっているが、複数のＭＴ型光コネクタを横に並べて収容するような構造にすることもできる。また、ホルダ本体３０Ａの前面に設けられたフランジ３３には、装置や配線板等の取付パネルへネジやリベットで固定するための取付穴３４が設けられている。その他の構造は、ＭＴコネクタ保持器２０と同様である。
【００４０】
このＭＴコネクタ保持器３０では、ホルダ本体３０Ａを、ネジやリベットを使用して装置や配線板等の取付パネル５に固定した後、ガイドピンを挿入した複数のＭＴ型光コネクタをこのホルダ本体３０Ａに嵌め込み、スライドカバー３０Ｂを取り付ける。
【００４１】
更に、ホルダ本体３０Ａの前面の挿入口から、複数のＭＴ型光コネクタを挿入する。そして、これらの挿入したＭＴ型光コネクタの背面を、押さえ金具２０Ｃのバネの力で一括して押さえる。
【００４２】
以上のように、この実施例３のＭＴコネクタ保持器３０は、複数のＭＴ型光コネクタを並列して収容することができる構造のホルダ本体３０Ａを有しているので、実施例２の利点に加えて、実装密度を上げることができるという利点がある。
【産業上の利用可能性】
【００４３】
本発明の活用例として、情報通信機器に限らず、光ファイバを使用して信号の伝送を行う装置、例えば自動車内の信号伝送機器等のあらゆる装置に利用することができる。
【図面の簡単な説明】
【００４４】
【図１】本発明の実施例１のＭＴコネクタ保持器の構造を示す斜視図である。
【図２】従来のＭＴ型光コネクタの接続方法の一例を示す斜視図である。
【図３】本発明の実施例２のＭＴコネクタ保持器の構造を示す斜視図である。
【図４】図３のＭＴコネクタ保持器の取付方法を示す図である。
【図５】本発明の実施例３のＭＴコネクタ保持器の構造を示す斜視図である。
【符号の説明】
【００４５】
１    光ケーブル
２    ＭＴ型光コネクタ
３    ガイドピン
５    取付パネル
６，１５，２６    嵌込穴
７    差込穴
１０，２０，３０    ＭＴコネクタ保持器
１０Ａ，２０Ａ，３０Ａ    ホルダ本体
１０Ｂ，２０Ｂ，３０Ｂ    スライドカバー
１１，２１，２９    切欠部
１２    バネ
１３    押出穴
１４，２４，２５    突起
２０Ｃ，３０Ｃ    押さえ金具
２２    挿入口
２３，３３    フランジ
２７    引掛部
２８    レバー
３４    取付穴
【図１】
2005227330.tif 000003
【図２】
2005227330.tif 000004
【図３】
2005227330.tif 000005
【図４】
2005227330.tif 000006
【図５】
2005227330.tif 000007